(57)【要約】通信端末の通信速度を低下させることなく、通信可能範囲を制限する通信装置を提供する。通信装置（１０）は、第１の通信エリア内の全ての通信端末が接続可能な状態で起動し、接続された通信端末の第１の識別情報を取得する第１の通信部（１１）と、取得された第１の識別情報のうち、第２の通信エリアを形成する第２の通信部（２１）に接続が許可された通信端末の第２の識別情報に対応付けられた第３の識別情報を取得する制御部（１２）と、を備える。第１の通信部（１１）は、第３の識別情報を有する通信端末のみが接続可能な状態に遷移する。制御部（１２）は、第２の識別情報を有する通信端末が第２の通信部（２１）と接続しているか否かの情報を通信装置（２０）から受信し、受信された情報に基づいて、第３の識別情報を有する通信端末を第１の通信部（１１）と通信させるか否かを制御する。
2020110499.tif 000002
【特許請求の範囲】
【請求項１】
第１の通信エリアを形成し、前記第１の通信エリア内の全ての通信端末が接続可能な状態で、接続された通信端末の第１の識別情報を取得する第１の通信手段と、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得する制御手段と、を備え、
前記第１の通信手段は、前記第３の識別情報が取得された場合、前記第３の識別情報を有する通信端末のみが接続可能な状態に遷移し、
前記制御手段は、前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御する、通信装置。
【請求項２】
前記制御手段は、前記取得された第１の識別情報を前記他の通信装置に送信すると共に、前記第２の識別情報に対応付けて登録された識別情報を前記他の通信装置から受信し、前記受信された識別情報を前記第３の識別情報として取得する、請求項１に記載の通信装置。
【請求項３】
前記制御手段は、前記第２の識別情報を前記他の通信装置から受信し、前記取得された第１の識別情報のうちのいずれかと、前記第２の識別情報とを対応付けて登録するように構成され、前記第２の識別情報に対応付けて登録された識別情報を前記第３の識別情報として取得する、請求項１に記載の通信装置。
【請求項４】
第１の通信エリアを形成し、前記第１の通信エリア内の全ての通信端末が接続可能な状態で、接続された通信端末の第１の識別情報を取得する第１の通信手段と、
前記第１の通信エリアに含まれる第２の通信エリアを形成し、接続が許可された通信端末の第２の識別情報を取得する第２の通信手段と、
前記取得された第１の識別情報のいずれかと前記第２の識別情報とを対応付けて登録する制御手段と、を備え、
前記第１の通信手段は、前記第２の識別情報と対応付けて登録された識別情報を示す第３の識別情報を有する通信端末のみが接続可能な状態に遷移し、
前記制御手段は、前記第２の識別情報を有する通信端末が前記第２の通信手段に接続されているか否かに基づいて、前記第３の識別情報を有する通信端末を前記第１の通信手段と通信させるか否かを制御する、通信装置。
【請求項５】
前記制御手段は、前記第２の識別情報を有する通信端末が前記第２の通信手段に接続されている場合、前記第３の識別情報を有する通信端末を前記第１の通信手段と通信させる、請求項１〜４のいずれか１項に記載の通信装置。
【請求項６】
前記第１の通信手段は、前記第３の識別情報を有する通信端末に認証情報を送信し、前記第２の識別情報を有する通信端末が前記第２の通信手段に接続されている場合、前記認証情報を用いて前記第３の識別情報を有する通信端末と接続する、請求項５に記載の通信装置。
【請求項７】
前記第２の通信エリアは、所定の領域内に形成された通信エリアである、請求項１〜６のいずれか１項に記載の通信装置。
【請求項８】
前記所定の領域は、予め定められた、建物の屋内又は移動体の内部の領域である、請求項７に記載の通信装置。
【請求項９】
前記移動体は、自動車及び列車のいずれか一方を含む車両である、請求項８に記載の通信装置。
【請求項１０】
前記第１の通信手段は、無線ＬＡＮ通信を行う通信手段であり、前記第１の識別情報は、通信端末の無線ＬＡＮ通信を行う通信手段に設定された識別情報であり、
前記第２の通信手段は、ＢＬＥ（Bluetooth Low Energy）通信を行う通信手段であり、前記第２の識別情報は、通信端末のＢｌｕｅｔｏｏｔｈ通信を行う通信手段に設定された識別情報である、請求項１〜９のいずれか１項に記載の通信装置。
【請求項１１】
前記第１の識別情報及び前記第２の識別情報は、ＭＡＣ（Media Access Control）アドレス及び機器名の少なくとも１つを含む、請求項１〜１０のいずれか1項に記載の通信装置。
【請求項１２】
第１の通信エリアを形成し、前記第１の通信エリア内の全ての通信端末が接続可能な状態で動作する第１の通信手段に接続された通信端末の第１の識別情報を取得することと、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得することと、
前記第３の識別情報が取得された場合、前記第１の通信手段を、前記第３の識別情報を有する通信端末のみが接続可能な状態に遷移させることと、
前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御することと、を含む通信制御方法。
【請求項１３】
第１の通信エリアを形成し、前記第１の通信エリア内の全ての通信端末が接続可能な状態で動作する第１の通信手段に接続された通信端末の第１の識別情報を取得することと、
前記第１の通信エリアに含まれる第２の通信エリアを形成する第２の通信手段に接続が許可された通信端末の第２の識別情報を取得することと、
前記取得された第１の識別情報のいずれかと前記第２の識別情報とを対応付けて登録することと、
前記第１の通信手段を、前記第２の識別情報と対応付けて登録された識別情報を示す第３の識別情報を有する通信端末のみが接続可能な状態に遷移させることと、
前記第２の識別情報を有する通信端末が前記第２の通信手段に接続されているか否かに基づいて、前記第３の識別情報を有する通信端末を前記第１の通信手段と通信させるか否かを制御することと、を含む通信制御方法。
【請求項１４】
第１の通信エリアを形成し、前記第１の通信エリア内の全ての通信端末が接続可能な状態で動作する第１の通信手段に接続された通信端末の第１の識別情報を取得することと、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得することと、
前記第３の識別情報が取得された場合、前記第１の通信手段を、前記第３の識別情報を有する通信端末のみが接続可能な状態に遷移させることと、
前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御することと、をコンピュータに実行させる通信制御プログラムを格納した非一時的なコンピュータ可読媒体。
【請求項１５】
第１の通信エリアを形成し、前記第１の通信エリア内の全ての通信端末が接続可能な状態で動作する第１の通信手段に接続された通信端末の第１の識別情報を取得することと、
前記第１の通信エリアに含まれる第２の通信エリアを形成する第２の通信手段に接続が許可された通信端末の第２の識別情報を取得することと、
前記取得された第１の識別情報のいずれかと前記第２の識別情報とを対応付けて登録することと、
前記第１の通信手段を、前記第２の識別情報と対応付けて登録された識別情報を示す第３の識別情報を有する通信端末のみが接続可能な状態に遷移させることと、
前記第２の識別情報を有する通信端末が前記第２の通信手段に接続されているか否かに基づいて、前記第３の識別情報を有する通信端末を前記第１の通信手段と通信させるか否かを制御することと、をコンピュータに実行させる通信制御プログラムを格納した非一時的なコンピュータ可読媒体。
【請求項１６】
第１の通信装置と、前記第１の通信装置に接続された第２の通信装置とを含み、
前記第１の通信装置は、
第１の通信エリアを形成し、前記第１の通信エリア内の全ての通信端末が接続可能な状態で、接続された通信端末の第１の識別情報を取得する第１の通信手段と、
前記取得された第１の識別情報のうち、前記第２の通信装置が有し、前記第１の通信エリアに含まれる第２の通信エリアを形成する第２の通信手段に接続が許可された通信端末の第２の識別情報に対応付けられた第３の識別情報を取得する制御手段と、を備え、
前記第１の通信手段は、前記第３の識別情報が取得された場合、前記第３の識別情報を有する通信端末のみが接続可能な状態に遷移し、
前記制御手段は、前記第２の識別情報を有する通信端末が前記第２の通信手段と接続しているか否かの情報を前記第２の通信装置から受信し、前記受信された情報に基づいて、前記第３の識別情報を有する通信端末を前記第１の通信手段と通信させるか否かを制御する、通信システム。
【請求項１７】
前記制御手段は、前記取得された第１の識別情報を前記第２の通信装置に送信すると共に、前記第２の通信装置において前記取得された第１の識別情報のうち、前記第２の識別情報と対応付けて登録された識別情報を受信し、前記受信した識別情報を前記第３の識別情報として取得する、請求項１６に記載の通信システム。
【請求項１８】
前記制御手段は、前記第２の識別情報を有する通信端末が前記第２の通信手段に接続されている場合、前記第３の識別情報を有する通信端末を前記第１の通信手段と通信させる、請求項１７に記載の通信システム。
【発明の詳細な説明】
【技術分野】
【０００１】
本開示は、通信装置、通信制御方法、通信制御プログラム及び通信システムに関する。
【背景技術】
【０００２】
現在のスマートフォンやタブレット型端末、パーソナルコンピュータ等の通信端末は、無線ＬＡＮ（Local Area Network）通信機能を搭載している。また、店舗等には、無線ＬＡＮ（Local Area Network）アクセスポイント（無線ＬＡＮルータ）等の通信装置が設置されており、無線ＬＡＮ通信が可能となっている。【０００３】
店舗等に設置された通信装置は、主に、店舗等の顧客に対するサービスの一環として設置されていることから、通信装置の管理者は、店舗等に存在する顧客の通信端末のみに無線ＬＡＮ通信を提供することを要望する場合がある。これに関連して、通信端末が所定の領域に存在するか否かを判定する技術も検討されている（例えば、特許文献１）。
【先行技術文献】
【特許文献】
【０００４】
【特許文献１】特開２０１８−０８５５９４号公報
【発明の概要】
【発明が解決しようとする課題】
【０００５】
上記要望を満たすために、例えば、通信装置の送信出力を制限することにより、無線ＬＡＮ通信を提供する範囲（通信可能範囲）を制限することも想定される。しかしながら、このような方法を用いると、上記通信装置と通信を行う通信端末が、通信可能範囲の境界に近づけば近づくほど、当該通信端末における通信品質は低下してしまい、それに伴い通信速度も低下してしまう。【０００６】
ここで、特許文献１に開示された技術は、所定の領域に通信端末が存在するか否かを判定する技術である。特許文献１に開示された技術を用いて上記要望を実現することも想定される。しかしながら、特許文献１は、上記要望を実現するための具体的な構成は開示していない。【０００７】
本開示の目的は、上述した課題を解決するためになされたものであり、通信端末の通信速度を低下させることなく、通信可能範囲を制限することが可能な通信装置、通信制御方法、通信制御プログラム及び通信システムを提供することである。
【課題を解決するための手段】
【０００８】
本開示にかかる通信装置は、
第１の通信エリアを形成し、前記第１の通信エリア内の全ての通信端末が接続可能な状態で、接続された通信端末の第１の識別情報を取得する第１の通信部と、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得する制御部と、を備え、
前記第１の通信部は、前記第３の識別情報が取得された場合、前記第３の識別情報を有する通信端末のみが接続可能な状態に遷移し、
前記制御部は、前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御する、通信装置である。【０００９】
本開示にかかる通信装置は、
第１の通信エリアを形成し、前記第１の通信エリア内の全ての通信端末が接続可能な状態で、接続された通信端末の第１の識別情報を取得する第１の通信部と、
前記第１の通信エリアに含まれる第２の通信エリアを形成し、接続が許可された通信端末の第２の識別情報を取得する第２の通信部と、
前記取得された第１の識別情報のいずれかと前記第２の識別情報とを対応付けて登録する制御部と、を備え、
前記第１の通信部は、前記第２の識別情報と対応付けて登録された識別情報を示す第３の識別情報を有する通信端末のみが接続可能な状態に遷移し、
前記制御部は、前記第２の識別情報を有する通信端末が前記第２の通信部に接続されているか否かに基づいて、前記第３の識別情報を有する通信端末を前記第１の通信部と通信させるか否かを制御する、通信装置である。【００１０】
本開示にかかる通信制御方法は、
第１の通信エリアを形成し、前記第１の通信エリア内の全ての通信端末が接続可能な状態で動作する第１の通信部に接続された通信端末の第１の識別情報を取得することと、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得することと、
前記第３の識別情報が取得された場合、前記第１の通信部を、前記第３の識別情報を有する通信端末のみが接続可能な状態に遷移させることと、
前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御することと、を含む通信制御方法である。【００１１】
本開示にかかる通信制御プログラムは、
第１の通信エリアを形成し、前記第１の通信エリア内の全ての通信端末が接続可能な状態で動作する第１の通信部に接続された通信端末の第１の識別情報を取得することと、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得することと、
前記第３の識別情報が取得された場合、前記第１の通信部を、前記第３の識別情報を有する通信端末のみが接続可能な状態に遷移させることと、
前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御することと、をコンピュータに実行させる通信制御プログラムである。
【発明の効果】
【００１２】
本開示によれば、通信端末の通信速度を低下させることなく、通信可能範囲を制限することが可能な無線通信装置、通信制御方法、通信制御プログラム及び通信システムを提供することができる。
【図面の簡単な説明】
【００１３】
【図１】実施の形態１にかかる通信システムの構成例を示す図である。
【図２】実施の形態２にかかる通信装置の構成例を示す図である。
【図３】実施の形態３にかかる通信システムの構成例を示す図である。
【図４】ＳＮＲについて説明する概念図である。
【図５】車載装置における通信エリアの調整方法を説明する概念図である。
【図６】実施の形態３にかかるルータの構成例を示す図である。
【図７】実施の形態３にかかる車載装置の構成例を示す図である。
【図８】実施の形態３にかかる通信システムの動作例を示す図である。
【図９】実施の形態３にかかる通信システムの動作例を示す図である。
【図１０】実施の形態３にかかる通信システムの動作例を示す図である。
【図１１】実施の形態４にかかるルータの構成例を示す図である。
【図１２】本開示の各実施の形態にかかる通信装置等のハードウェア構成を例示するブロック図である。
【発明を実施するための形態】
【００１４】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１５】
（実施の形態１）
図１を用いて実施の形態１について説明する。図１は、実施の形態１にかかる通信システムの構成例を示す図である。通信システム１は、通信装置１０と、通信装置２０とを備える。通信装置１０及び通信装置２０は、例えば、ルータ、モバイルルータ、ディスプレイシステム、車載装置等の通信装置であってもよい。
【００１６】
通信装置１０は、通信装置２０と接続し、通信を行う。通信装置１０は、通信装置２０と有線により接続及び通信を行ってもよいし、無線により接続及び通信を行ってもよい。通信装置１０は、第１の通信部１１を有しており、第１の通信部１１を介して、図示しない通信端末と接続及び通信を行うことが可能である。
【００１７】
第１の通信部１１は、Ｗｉ−Ｆｉ等の無線ＬＡＮ通信に対応する通信部であってもよいし、Ｂｌｕｅｔｏｏｔｈ（登録商標）又はＢＬＥ（Bluetooth Low Energy）通信に対応する通信部であってもよい。通信端末は、例えば、無線ＬＡＮ及びＢｌｕｅｔｏｏｔｈの２つの通信方式に少なくとも対応する。
【００１８】
通信装置２０は、送信出力が予め調整され、所定の領域を通信可能範囲とする第２の通信部２１を有する通信装置である。通信装置２０は、第２の通信部２１を介して、通信端末と接続及び通信を行うことが可能である。
【００１９】
第２の通信部２１は、例えば、Ｗｉ−Ｆｉ等の無線ＬＡＮに対応する通信部であってもよいし、Ｂｌｕｅｔｏｏｔｈ又はＢＬＥに対応する通信部であってもよい。なお、第２の通信部２１が対応する通信方式は、第１の通信部１１が対応する通信方式と異なっていてもよい。
【００２０】
通信装置１０は、第１の通信部１１と制御部１２とを備える。
第１の通信部１１は、第１の通信エリアを形成し、第１の通信エリア内の全ての通信端末が接続可能な状態で、接続された通信端末の第１の識別情報を取得する。第１の通信エリアは、所定の領域を含む通信エリアである。所定の領域は、予め定められた、建物の屋内又は移動体の内部の領域であってもよい。移動体は、自動車及び列車のいずれか一方を含む車両であってもよい。
【００２１】
例えば、第１の通信部１１がＷｉ−Ｆｉに対応する通信部である場合、パスワード等の認証情報を設定していない状態であって、第１の通信エリア内の全ての通信端末が接続可能な状態である、いわゆるＦｒｅｅ Ｗｉ−Ｆｉの状態で動作する。そして、第１の通信部１１は、接続された通信端末の第１の識別情報を取得する。通信端末の識別情報は、接続されて初めて取得することができるため、第１の通信部１１は、上記のように、第１の通信エリア内の全ての通信端末が接続可能な状態で動作する。
【００２２】
第１の識別情報は、通信端末が備える通信部であって、第１の通信部１１が対応する通信方式による通信を行う通信部の識別情報である。第１の識別情報は、例えば、ＭＡＣ（Media Access Control）アドレスであってもよいし、当該通信部を識別する、機器名、ＩＤ（Identifier）又は識別コードであってもよい。
【００２３】
制御部１２は、取得された第１の識別情報のうち、通信装置２０が有し、第１の通信エリアに含まれる第２の通信エリアを形成する第２の通信部２１に接続が許可された通信端末の第２の識別情報に対応付けられた第３の識別情報を取得する。
【００２４】
第２の識別情報は、通信端末が備える通信部であって、第２の通信部２１が対応する通信方式による通信を行う通信部の識別情報である。第２の識別情報は、例えば、ＭＡＣアドレスであってもよいし、当該通信部を識別する、機器名、ＩＤ又は識別コードであってもよい。
【００２５】
通信装置２０が、取得された第１の識別情報のいずれかと、第２の通信部２１に接続が許可された通信端末の第２の識別情報とを対応付ける登録する機能を有している場合、制御部１２は、取得された第１の識別情報を通信装置２０に送信する。そして、通信装置２０において、上記第２の識別情報に対応付けて登録された識別情報を示す第３の識別情報を受信して、第２の通信部２１に接続が許可された通信端末の第２の識別情報に対応付けられた第３の識別情報を取得してもよい。
【００２６】
もしくは、通信装置１０が、第１の通信部１１において取得された第１の識別情報のいずれかと、第２の通信部２１に接続が許可された通信端末の第２の識別情報とを対応付けて登録する機能を有している場合、通信装置２０から第２の識別情報を取得する。そして、通信装置１０は、取得された第１の識別情報のいずれかと、第２の識別情報とが対応付けて登録し、第２の識別情報に対応付けて登録された識別情報を第３の識別情報として取得してもよい。
【００２７】
第１の通信部１１は、第３の識別情報が取得された場合、第３の識別情報を有する通信端末のみを接続可能な状態に遷移する。第１の通信部１１は、第２の識別情報に対応付けられる識別情報の候補を得るために、第１の通信エリア内の全ての通信端末が接続可能な状態で起動する。第３の識別情報を取得すると、第１の通信部１１は、第３の識別情報を有する通信端末以外の通信端末に接続をさせないように、接続を切断すると共に、以降の接続を拒否する状態に遷移する。
【００２８】
制御部１２は、第２の識別情報を有する通信端末が第２の通信部２１と接続しているか否かの情報を通信装置２０から受信する。制御部１２は、受信された情報に基づいて、第３の識別情報を有する通信端末を第１の通信部１１と通信させるか否かを制御する。
【００２９】
以上説明したように、第１の通信部１１は、第１の通信エリア内の全ての通信端末が接続可能な状態で動作し、第２の識別情報に対応付けられる第１の識別情報の候補を取得する。制御部１２は、取得された第１の識別情報のうち、第２の通信部２１に接続が許可された通信端末の第２の識別情報に対応付けられた第３の識別情報を取得する。これにより、通信を制御する対象の通信端末を特定する。
【００３０】
制御部１２は、通信を制御する対象の通信端末が第２の通信部２１に接続されているか否かに基づいて、当該通信端末を第１の通信部１１と通信させるか否かを制御する。換言すると、制御部１２は、通信端末が第２の通信エリアに存在するか否かに基づいて、通信端末が第１の通信部１１と通信させるか否かを制御する。つまり、制御部１２は、通信端末が第１の通信部１１と通信可能な範囲を第２の通信エリアに制限する。また、通信装置１０は、第１の通信部１１の送信出力は制限していないので、通信端末の通信速度を低下させることがない。したがって、実施の形態１にかかる通信装置１０によれば、通信端末の通信速度を低下させることなく、通信可能範囲を制限することが可能となる。
【００３１】
（実施の形態２）
続いて、実施の形態２について説明する。図２を用いて、実施の形態２にかかる通信装置３０について説明する。図２は、実施の形態２にかかる通信装置の構成例を示す図である。本実施の形態にかかる通信装置３０は、実施の形態１にかかる通信装置１０が、通信装置２０が有する第２の通信部２１を有する構成である。
【００３２】
通信装置３０は、第１の通信部３１と、第２の通信部３２と、制御部３３とを備える。第１の通信部３１及び第２の通信部３２の構成は、実施の形態１と基本的に同様であるため、説明を適宜割愛する。
【００３３】
第１の通信部３１は、実施の形態１にかかる第１の通信部１１と同様の構成であるので、説明を割愛する。
【００３４】
第２の通信部３２は、実施の形態１にかかる第２の通信部２１に対応する。第２の通信部３２は、第１の通信部３１が形成する第１の通信エリアに含まれる第２の通信エリアを形成する。第２の通信部３２は、送信出力が予め調整されており、第２の通信エリアを所定の領域内に形成する。
【００３５】
第２の通信部３２は、例えば、Ｗｉ−Ｆｉ等の無線ＬＡＮに対応する通信部であってもよいし、Ｂｌｕｅｔｏｏｔｈ又はＢＬＥに対応する通信部であってもよい。なお、第２の通信部３２が対応する通信方式は、第１の通信部３１が対応する通信方式と異なっていてもよい。
【００３６】
第２の通信部３２は、第２の通信部３２に接続が許可された通信端末の第２の識別情報を取得する。
【００３７】
制御部３３は、第１の通信部３１において取得された第１の識別情報のいずれかと、第２の通信部３２において取得された第２の識別情報とを対応付けて登録する。また、制御部３３は、第２の識別情報を有する通信端末が第２の通信部３２に接続されているか否かに基づいて、第２の識別情報と対応付けて登録された識別情報である第３の識別情報を有する通信端末を第１の通信部３１と通信させるか否かを制御する。
【００３８】
以上説明したように、制御部３３は、第１の通信部３１において取得された第１の識別情報のいずれかと、第２の通信部３２において取得された第２の識別情報とを対応付けて登録し、通信を制御する対象の通信端末を特定する。制御部３３は、通信を制御する対象の通信端末が第２の通信部３２に接続されているか否かに基づいて、当該通信端末を第１の通信部３１と通信させるか否かを制御する。換言すると、制御部３３は、通信端末が第２の通信エリアに存在するか否かに基づいて、通信端末が第１の通信部３１と通信させるか否かを制御する。つまり、制御部３３は、通信端末が第１の通信部３１と通信可能な範囲を第２の通信エリアに制限する。また、通信装置３０は、第１の通信部３１の送信出力は制限していないので、通信端末の通信速度を低下させることがない。したがって、実施の形態２にかかる通信装置３０によれば、通信端末の通信速度を低下させることなく、通信可能範囲を制限することが可能となる。
【００３９】
（実施の形態３）
続いて、実施の形態３について説明する。実施の形態３は、実施の形態１を詳細にした実施の形態である。
＜通信システムの構成例＞
図３を用いて、実施の形態３にかかる通信システム１００について説明する。図３は、実施の形態３にかかる通信システムの構成例を示す図である。また、図３は、通信システム１００における通信装置の位置関係を示す図でもある。
【００４０】
通信システム１００は、所定の領域において用いられる通信システムである。所定の領域は、予め定められた、建物の屋内の領域であってもよいし、移動体の内部の領域であってもよい。また、移動体は、自動車であってもよいし、列車であってもよい。以降の説明は、所定の領域は、自動車の内部の領域であるとして説明を行う。なお、当然ながら、本実施の形態は、これに限定するものではない。
【００４１】
通信システム１００は、ルータ４０と、車載装置５０と、通信端末６０とを備える。
図３において、実線２００は、自動車の外郭（境界線）を示す線であり、実線２００の内側は、自動車の内部の領域であり、実線２００の外側は、自動車の外部の領域である。ルータ４０及び車載装置５０は、自動車内に配置される。
【００４２】
ルータ４０は、実施の形態１にかかる通信装置１０に対応する。ルータ４０は、車載装置５０にＵＳＢ（Universal Serial Bus）接続されており、ＵＳＢ接続を介して、車載装置５０と通信を行う。
【００４３】
ルータ４０は、ＷＡＮ（Wide Area Network）無線通信と、無線ＬＡＮ通信とが可能な通信装置である。ルータ４０は、無線ＬＡＮ通信を行う無線ＬＡＮ通信部を有しており、ＡＮＴ（Antenna）１を介して、通信端末６０と接続及び通信可能に構成される。
【００４４】
実線２０１は、ルータ４０の無線ＬＡＮ通信に関する通信エリアの境界線を示している。ルータ４０の通信エリアは、ルータ４０の送信出力により決定されるが、本実施の形態では、ルータ４０の送信出力は調整しないこととし、ルータ４０の通信エリアは、実線２００により囲まれたエリアよりも大きな範囲であるとする。つまり、ルータ４０の通信エリアは、自動車の内部の領域よりも広い範囲であるとする。
【００４５】
一般的に、ルータ４０と、通信端末６０がそれぞれ１つずつの無線ＬＡＮ通信では、ルータ４０の性能上、最大リンクレートの変調方式で通信が確立できる、通信端末６０までの距離は決まっている。例えば、車内の位置１に存在する通信端末６０がルータ４０に接続（帰属）してデータ通信を行っているとする。この状態から、通信端末６０が位置２に移動し、さらに、位置３に移動していくとすると、通信端末６０は、ルータ４０から距離が離れていくにしたがってＳＮＲ（Signal Noise Ratio）が減少（低下）していく。そして、通信端末６０が、位置３まで移動すると、ルータ４０の通信エリア（実線２０１）を超えることから、変調レートが低くなり、通信速度は低下し始める。
【００４６】
なお、通信端末６０が位置３よりもさらにルータ４０から離れていくと、一般的に、信号を受信する通信端末６０では、自装置に届く通信相手であるルータ４０の送信出力（受信レベル）とノイズフロアとの比であるＳＮＲが小さくなる。そして、ＳＮＲが一定値以下になると信号が読み取れなくなり、通信ができなくなることから、通信端末６０と、ルータ４０との接続は切断される。
【００４７】
ここで、上記内容をＳＮＲの概念図を用いて説明する。図４は、ＳＮＲについて説明する概念図である。横軸は、通信をしている周波数［Ｈｚ］を示しており、縦軸は、入力された信号及びノイズフロアの電力レベル［ｄＢｍ］を示している。
【００４８】
図４において、実線Ｌ１は、ノイズフロアを示しており、信号を送信するルータ４０の送信出力によらず一定である。実線Ｌ２は、例えば、通信端末６０が位置１に存在する場合に、ルータ４０の送信信号が受信されたときの通信端末６０における受信レベルであるとする。実線Ｌ３は、例えば、通信端末６０が位置１から位置２又は位置３に移動した場合に、ルータ４０の送信信号が受信されたときの通信端末６０における受信レベルであるとする。
【００４９】
このように、通信端末６０がルータ４０から徐々に離れていくにつれて受信レベルは低下していく。上述したように、ノイズフロア（実線Ｌ１）は一定であり、ＳＮＲは、受信レベルとノイズフロアの比率であるため、通信端末６０におけるＳＮＲは、ルータ４０からの距離と共に減少していく。そして、通信端末６０において、ＳＮＲが所定の閾値を下回ると、ルータ４０との通信が行えないと判定され、ルータ４０と通信端末６０との通信は切断される。
【００５０】
図３に戻り、車載装置５０について説明する。車載装置５０は、実施の形態１にかかる通信装置２０に対応する。車載装置５０は、自動車に搭載された通信装置である。換言すると、車載装置５０は、自動車の内部に配置された通信装置である。
【００５１】
車載装置５０は、例えば、ディスプレイシステム、カーナビゲーションシステム、ルータ、モバイルルータ、パーソナルコンピュータ装置、スマートフォン端末、タブレット端末であってもよい。
【００５２】
車載装置５０は、ＢＬＥ通信が可能なＢｌｕｅｔｏｏｔｈ通信部を有しており、ＡＮＴ２を介して、通信端末６０と接続及び通信可能に構成される。車載装置５０のＢｌｕｅｔｏｏｔｈ通信部は、予め送信出力が調整されており、通信エリアの境界線が実線２０２に調整されている。つまり、車載装置５０の通信エリアは、ルータ４０の通信エリアに含まれており、自動車内に形成されている。
【００５３】
次に、図５を用いて、車載装置５０の送信出力を調整する方法について説明する。図５は、車載装置における通信エリアの調整方法を説明する概念図である。なお、図４で説明したＳＮＲの概念は、車載装置５０においても同様であるため、このことを前提とする。
【００５４】
図５において、横軸は、車載装置５０と通信端末６０との距離［ｍ］を示しており、縦軸は、通信端末６０におけるＳＮＲ［ｄＢ］を示している。例えば、車載装置５０の送信出力をある値にしたときのＳＮＲの特性を実線Ｌ４とする。実線Ｌ４は、車載装置５０と通信端末６０との距離が０［ｍ］である場合、ＳＮＲは５［ｄＢ］である。通信周波数における空間損失が距離０〜１［ｍ］の間は１０［ｄＢ／ｍ］で一定であると仮定すると、距離が０．５［ｍ］離れるとＳＮＲは０［ｄＢ］になる。通信確立に必要な条件がＳＮＲ＞０［ｄＢ］であるとすると、通信端末６０は、車載装置５０から０．５［ｍ］以上離れると、通信が切断される。
【００５５】
車載装置５０の送信出力を実線Ｌ４の特性よりも５［ｄＢ］大きくすると、ＳＮＲの特性は実線Ｌ５のようになる。この場合、通信端末６０と、車載装置５０の距離が１［ｍ］以上離れると、ＳＮＲは０［ｄＢ］となるため、通信が切断される。このように、車載装置５０の送信出力を調整することにより、通信端末６０と通信可能な距離（通信エリア）を車内に限定することが可能になる。なお、車載装置５０の送信出力は、自動車のサイズにより適宜設定する必要があるため、車載装置５０は、事前に調整した送信出力を記憶しておく。また、車載装置５０の通信エリアは、自動車の内部の領域と略同一であることが望ましい。
【００５６】
図３に戻り、通信端末６０について説明する。通信端末６０は、例えば、スマートフォン端末、タブレット端末及びパーソナルコンピュータ装置であってもよい。通信端末６０は、無線ＬＡＮ通信、及びＢｌｕｅｔｏｏｔｈ通信に対応する通信端末である。なお、通信端末６０は、ＬＴＥ（Long Term Evolution）等の通信事業者が提供するＷＡＮ通信に対応していてもよい。通信端末６０は、無線ＬＡＮ通信により、ルータ４０と接続及び通信を行う。また、通信端末６０は、Ｂｌｕｅｔｏｏｔｈ通信により、車載装置５０と接続及び通信を行う。
【００５７】
＜ルータの構成例＞
次に、図６を用いて、ルータ４０の構成例について説明する。図６は、実施の形態３にかかるルータの構成例を示す図である。ルータ４０は、無線ＬＡＮ通信部４１と、ＷＡＮ通信部４２と、制御部４３と、電源回路４４と、ＵＳＢ接続ポート４５と、メモリ４６と、を備える。図６において、機能部間を接続する実線は、データ等の送受信等を行う機能部間の接続線を示しており、機能部間を接続する点線は、電源の供給を示す機能部間の接続線を示している。
【００５８】
無線ＬＡＮ通信部４１は、実施の形態１にかかる第１の通信部１１に対応する。無線ＬＡＮ通信部４１は、ＡＮＴ１を介して、無線ＬＡＮ通信を通信端末６０と行う。無線ＬＡＮ通信部４１は、ＷＡＮ通信部４２と接続されており、通信端末６０と通信を行う場合、ＷＡＮ通信部４２を介して、通信端末６０がＷＡＮ回線に接続し、インターネット接続を可能とする。
【００５９】
無線ＬＡＮ通信部４１は、図３の実線２０１で示した通信エリアを形成する。無線ＬＡＮ通信部４１は、通常、例えば、パスワード等の認証情報を用いて、認証された通信端末のみが接続及び通信が可能な状態で動作する。後述する制御部４３から再起動の要求を受信すると、無線ＬＡＮ通信部４１は、パスワード等の認証情報を用いた認証を行わず、通信エリア内の全ての通信端末が接続可能な状態で起動して当該状態で動作する。換言すると、無線ＬＡＮ通信部４１がＷｉ−Ｆｉに対応した通信部である場合、いわゆるＦｒｅｅ Ｗｉ−Ｆｉの状態で起動して当該状態で動作する。
【００６０】
無線ＬＡＮ通信部４１は、接続された通信端末の無線ＬＡＮ通信を行う通信部の識別情報を取得する。無線ＬＡＮ通信部４１は、通信端末６０が接続した場合、通信端末６０の無線ＬＡＮ通信を行う通信部の識別情報を取得する。無線ＬＡＮ通信部４１は、取得した識別情報を制御部４３に送信する。
【００６１】
識別情報は、例えば、ＭＡＣアドレスであってもよいし、当該通信部を識別する、機器名、ＩＤ又は識別コードであってもよい。以降の説明では、識別情報は、ＭＡＣアドレス及び機器名であるとして説明を行う。なお、機器名は、通信端末６０に一意に設定された名称であってもよい。
【００６２】
通信端末のＭＡＣアドレス及び機器名は、ルータ４０に帰属してデータ通信ができる状態でないと取得できない。そのため、無線ＬＡＮ通信部４１は、一定時間、通信エリア内の通信端末に接続（帰属）可能なように、パスワード等の認証情報による認証を行わない状態である解放状態として起動する。そして、無線ＬＡＮ通信部４１は、接続（帰属）してきた通信端末の無線ＬＡＮ通信を行う通信部のＭＡＣアドレスを取得可能な状態とする。換言すると、無線ＬＡＮ通信部４１は、解放状態で動作し、通信エリア内にいる接続可能な通信端末を接続させて当該通信端末の無線ＬＡＮ通信を行う通信部のＭＡＣアドレスを収集する機能を有する。
【００６３】
また、取得したＭＡＣアドレスのいずれかが、車載装置５０で取得されたＭＡＣアドレスと対応付けて登録された場合、後述する制御部４３は、車載装置５０から、登録されたＭＡＣアドレスを受信する。無線ＬＡＮ通信部４１は、制御部４３がＭＡＣアドレスを受信すると、当該ＭＡＣアドレスの通信端末に対して、例えば、パスワード等の認証情報を送信する。
【００６４】
通信端末６０のＭＡＣアドレスが、車載装置５０において登録された場合、無線ＬＡＮ通信部４１は、通信端末６０に対して、パスワード等の認証情報を送信する。以降の説明では、通信端末６０のＭＡＣアドレスが、車載装置５０において取得されたＭＡＣアドレスと対応付けて登録されたとして説明する。
【００６５】
なお、無線ＬＡＮ通信部４１において取得した機器名と、車載装置５０において取得された機器名とを、車載装置５０が対応付けて登録するようにしてもよい。この場合、制御部４３は、車載装置５０から登録された機器名を受信する。無線ＬＡＮ通信部４１は、登録された機器名が設定された通信端末６０に対して、パスワード等の認証情報を送信する。
【００６６】
無線ＬＡＮ通信部４１は、通信端末６０に対して、パスワード等の認証情報を送信した後、通信端末６０以外の通信端末の接続を解除し、認証情報を有している通信端末６０のみが接続可能な状態に遷移する。換言すると、無線ＬＡＮ通信部４１は、通常の状態に遷移して、認証情報を有する通信端末６０以外の通信端末の接続を拒否する。
【００６７】
また、無線ＬＡＮ通信部４１は、制御部４３からの要求に基づいて、通信端末６０との通信の確立又は切断を行う。無線ＬＡＮ通信部４１は、通信端末６０との通信を切断した後、制御部４３から通信端末６０と通信を確立することを要求された場合、認証情報を用いて、通信端末６０と自動的に接続する。
【００６８】
ＷＡＮ通信部４２は、ＡＮＴ３及び基地局を介して、ＷＡＮ回線に接続できる無線通信部である。ＷＡＮ通信部４２は、通信時の送信及び受信に使用するアンテナの数を制御する。ＷＡＮ通信部４２は、無線ＬＡＮ通信部４１が通信端末６０と通信を行う場合であって、例えば、通信端末６０がインターネットに接続する場合、ＡＮＴ３及び基地局を介して、通信端末６０がＷＡＮ回線に接続し、インターネット接続を行う。
【００６９】
制御部４３は、実施の形態１にかかる制御部１２に対応する。制御部４３は、ルータ４０を制御する制御部であり、無線ＬＡＮ通信部４１及びＷＡＮ通信部４２の制御を行うと共に、インターネット回線接続に必要なルーティング動作を行う。
【００７０】
制御部４３は、車載装置５０から無線ＬＡＮ通信部４１の再起動の指示を受信した場合、無線ＬＡＮ通信部４１を再起動させる。
【００７１】
また、制御部４３は、無線ＬＡＮ通信部４１において取得されたＭＡＣアドレスのうち、車載装置５０において取得されたＭＡＣアドレスと対応付けられたＭＡＣアドレスを取得する。
【００７２】
具体的には、制御部４３は、無線ＬＡＮ通信部４１が取得したＭＡＣアドレス及び機器名を、後述するＵＳＢ接続ポートに接続されたＵＳＢケーブルを介して車載装置５０に送信する。制御部４３は、送信したＭＡＣアドレスのうちのいずれかが車載装置５０において取得されたＭＡＣアドレスと対応付けて登録された場合、車載装置５０から送信したＭＡＣアドレスのうち、登録されたＭＡＣアドレスを受信する。制御部４３は、受信したＭＡＣアドレスを、車載装置５０において取得されたＭＡＣアドレスと対応付けて登録されたＭＡＣアドレスとして取得する。つまり、制御部４３は、通信制御対象の通信端末の無線ＬＡＮ通信を行う通信部のＭＡＣアドレスを取得する。以降の説明では、車載装置５０において、通信端末６０の無線ＬＡＮ通信を行う通信部のＭＡＣアドレスと、通信端末６０のＢｌｕｅｔｏｏｔｈ通信を行う通信部のＭＡＣアドレスとが対応付けて登録されたとして説明する。この場合、制御部４３は、通信端末６０の無線ＬＡＮ通信を行う通信部のＭＡＣアドレスを車載装置５０から受信する。
【００７３】
なお、本実施の形態では、上記のようにＭＡＣアドレスを用いることとするが、ＭＡＣアドレスではなく、機器名を用いてもよい。つまり、無線ＬＡＮ通信部４１において取得した機器名と、車載装置５０において取得された機器名とを、車載装置５０が対応付けて登録するようにしてもよい。この場合、制御部４３は、車載装置５０から登録された機器名を受信する。また、ＭＡＣアドレスに加えて、機器名の両方を用いるようにしてもよい。
【００７４】
制御部４３は、車載装置５０において登録されたＭＡＣアドレスを有する通信端末６０が車載装置５０の後述するＢｌｕｅｔｏｏｔｈ通信部５１に接続されているか否かの情報を車載装置５０から受信する。制御部４３は、受信した情報に基づいて、通信端末６０を無線ＬＡＮ通信部４１と通信させるか否かを制御する。制御部４３は、通信端末６０を無線ＬＡＮ通信部４１と通信させる場合であって、通信端末６０と無線ＬＡＮ通信部４１との通信が切断されている場合、無線ＬＡＮ通信部４１に通信端末６０と通信を確立することを要求する。制御部４３は、通信端末６０を無線ＬＡＮ通信部４１と通信させない場合であって、通信端末６０と無線ＬＡＮ通信部４１との通信が確立されている場合、無線ＬＡＮ通信部４１に通信端末６０との接続を解除することを要求する。
【００７５】
具体的には、制御部４３は、車載装置５０から、通信端末６０がＢｌｕｅｔｏｏｔｈ通信部５１に接続されている場合、通信端末６０を無線ＬＡＮ通信部４１と通信させる。一方、制御部４３は、車載装置５０から、通信端末６０がＢｌｕｅｔｏｏｔｈ通信部５１に接続されていない場合、通信端末６０を無線ＬＡＮ通信部４１と通信させない。換言すると、制御部４３は、通信端末６０がＢｌｕｅｔｏｏｔｈ通信部５１に接続されていない場合、通信端末６０の通信を切断し、通信端末６０からの接続要求を拒否するように制御する。
【００７６】
電源回路４４は、各機能部に適切な電圧変換をして電源を供給する回路である。電源回路４４は、後述するＵＳＢ接続ポート４５を介して車載装置５０から供給された電源を、無線ＬＡＮ通信部４１、ＷＡＮ通信部４２及び制御部４３に供給する。
【００７７】
ＵＳＢ接続ポート４５は、ＵＳＢケーブルを挿抜可能な接続ポートである。ＵＳＢ接続ポート４５は、当該ポートに接続されたＵＳＢケーブルを介して、ルータ４０と車載装置５０との間のデータの送受信を行うと共に、車載装置５０からルータ４０に対して電源を供給する。
メモリ４６は、ルータ４０が動作するために必要な設定等を記憶する。
【００７８】
＜車載装置の構成例＞
次に、図７を用いて、車載装置５０の構成例について説明する。図７は、実施の形態３にかかる車載装置の構成例を示す図である。車載装置５０は、Ｂｌｕｅｔｏｏｔｈ通信部５１と、操作部５２と、制御部５３と、電源回路５４と、車内電源５５と、ＵＳＢ接続ポート５６と、接続ポート５７と、メモリ５８とを備える。図７において、機能部間を接続する実線は、データ等の送受信等を行う機能部間の接続線を示しており、機能部間を接続する点線は、電源の供給を示す機能部間の接続線を示している。
【００７９】
Ｂｌｕｅｔｏｏｔｈ通信部５１は、実施の形態１にかかる第２の通信部２１に対応する。Ｂｌｕｅｔｏｏｔｈ通信部５１は、図３の実線２０２で示した通信エリアを形成する。Ｂｌｕｅｔｏｏｔｈ通信部５１は、ＡＮＴ２を介して、ＢＬＥ通信を通信端末６０と行う。なお、以降の説明において、ＢＬＥ通信を単にＬＥ通信として記載することがある。
【００８０】
Ｂｌｕｅｔｏｏｔｈ通信部５１は、通信端末６０とペアリングを行い、通信端末６０のＢｌｕｅｔｏｏｔｈ通信を行う通信部のＭＡＣアドレス及び機器名を取得する。つまり、Ｂｌｕｅｔｏｏｔｈ通信部５１は、接続が許可された通信端末６０のＭＡＣアドレス及び機器名を取得する。Ｂｌｕｅｔｏｏｔｈ通信部５１は、取得したＭＡＣアドレス及び機器名を、後述する制御部５３に送信する。
【００８１】
また、Ｂｌｕｅｔｏｏｔｈ通信部５１は、通信端末６０とＬＥ通信を行っているか否かの情報を制御部５３に送信する。Ｂｌｕｅｔｏｏｔｈ通信部５１は、制御部５３からの要求に応じて、通信端末６０が接続されているか否かの情報を取得し、制御部５３に送信する。
【００８２】
なお、Ｂｌｕｅｔｏｏｔｈ通信部５１は、周期的に通信端末６０とＬＥ通信を行い、通信端末６０が接続されているか否かの情報を取得し、制御部５３に送信してもよい。もしくは、Ｂｌｕｅｔｏｏｔｈ通信部５１は、通信端末６０がＬＥ通信をして接続された場合、又はＬＥ通信が切断され接続が解除した場合に、接続されたこと、又は接続が解除されたことを制御部５３に送信してもよい。
【００８３】
操作部５２は、ディスプレイ上で操作するタッチパネル等であり、後述する制御部５３と情報の送受信を行い、車載装置５０の操作のためのＧＵＩ（Guide User Interface）をディスプレイに表示し、ユーザが入力した情報を取得する。なお、ＧＵＩは、Graphical User Interfaceと称されてもよい。
【００８４】
操作部５２は、制御部５３が有する子機管理アプリケーションのＧＵＩを表示し、ユーザが入力した情報を取得して制御部５３に送信する。子機管理アプリケーションは、ルータ４０の無線ＬＡＮ通信部４１において取得されたＭＡＣアドレスのうちのいずれかと、Ｂｌｕｅｔｏｏｔｈ通信部５１において取得されたＭＡＣアドレスと、を対応付けて登録するためのアプリケーションである。ＬＥ通信を使用して車内外判定をする通信端末（子機）と無線ＬＡＮ通信を通したＷＡＮ側通信と接続又は切断する通信端末とが一致していなければいけない。そのため、子機管理アプリケーションを用いて、通信端末（子機）のＭＡＣアドレスを紐づける。
【００８５】
子機管理アプリケーションは、Ｂｌｕｅｔｏｏｔｈ通信部５１において取得されたＭＡＣアドレス及び機器名と、ルータ４０の無線ＬＡＮ通信部４１において取得されたＭＡＣアドレス及び機器名と、をＧＵＩで表示する。ユーザが、無線ＬＡＮ通信部４１において取得されたＭＡＣアドレスのいずれかを選択した場合、操作部５２は、選択されたＭＡＣアドレスと、Ｂｌｕｅｔｏｏｔｈ通信部５１において取得されたＭＡＣアドレスと、を対応付けて制御部５３に送信する。
【００８６】
なお、ユーザが、無線ＬＡＮ通信部４１において取得された機器名のいずれかを選択するようにしてもよい。この場合、操作部５２は、選択された機器名と、Ｂｌｕｅｔｏｏｔｈ通信部５１において取得された機器名と、を対応付けて制御部５３に送信する。
【００８７】
また、通信端末６０において、無線ＬＡＮ通信を行う通信部のＭＡＣアドレスと、Ｂｌｕｅｔｏｏｔｈ通信を行う通信部のＭＡＣアドレスとが、連続するアドレスであることも想定される。具体的には、例えば、無線ＬＡＮ通信を行う通信部のＭＡＣアドレスの最後の１オクテットが１０であり、Ｂｌｕｅｔｏｏｔｈ通信を行う通信部のＭＡＣアドレスが１１であるように連続するアドレスであることも想定される。そのため、操作部５２は、表示するＭＡＣアドレスが連続するアドレスである場合、Ｂｌｕｅｔｏｏｔｈ通信部５１において取得されたＭＡＣアドレスと、無線ＬＡＮ通信部４１において取得されたＭＡＣアドレスとを予め対応付けて表示してもよい。
【００８８】
また、Ｂｌｕｅｔｏｏｔｈ通信部５１において取得された機器名と、無線ＬＡＮ通信部４１において取得された機器名とが同一であることも想定される。そのため、操作部５２は、表示する機器名が同一である場合、Ｂｌｕｅｔｏｏｔｈ通信部５１において取得された機器名と、無線ＬＡＮ通信部４１において取得された機器名とを予め対応付けて表示してもよい。
【００８９】
制御部５３は、車載装置５０を制御する制御部であり、車載装置５０に接続された機器やメモリ５８との通信、操作部５２が有するディスプレイの制御等を行う。制御部５３には、子機管理アプリケーションがインストールされている。制御部５３は、子機管理アプリケーションを用いて、ユーザに選択されたＭＡＣアドレスと、Ｂｌｕｅｔｏｏｔｈ通信部５１において取得されたＭＡＣアドレスと、が対応付けられた情報を操作部５２から受信する。制御部５３は、受信した情報に基づいて、ユーザに選択されたＭＡＣアドレスと、Ｂｌｕｅｔｏｏｔｈ通信部５１において取得されたＭＡＣアドレスと、を対応付けて登録する。
【００９０】
制御部５３は、後述するＵＳＢ接続ポート５６を介してルータ４０と情報の送受信を行う。制御部５３は、ルータ４０の制御部４３から、無線ＬＡＮ通信部４１が取得したＭＡＣアドレス及び機器名を受信する。また、制御部５３は、Ｂｌｕｅｔｏｏｔｈ通信部５１において取得されたＭＡＣアドレスと対応付けて登録したＭＡＣアドレスを、ＵＳＢ接続ポート５６を介して、ルータ４０の制御部４３に送信する。
【００９１】
また、制御部５３は、Ｂｌｕｅｔｏｏｔｈ通信部５１が通信端末６０とＬＥ通信を行い接続されているか否かの情報をルータ４０の制御部４３に送信する。制御部５３は、ルータ４０の制御部４３からの接続確認要求に応じて、Ｂｌｕｅｔｏｏｔｈ通信部５１に通信端末６０とＬＥ通信を行わせて、上記情報を取得し、取得した情報をルータ４０の制御部４３に送信する。
【００９２】
なお、制御部５３は、Ｂｌｕｅｔｏｏｔｈ通信部５１が、通信端末６０がＬＥ通信をして接続された場合、又はＬＥ通信が切断され接続が解除した場合に、接続されたこと、又は接続が解除されたことを、Ｂｌｕｅｔｏｏｔｈ通信部５１から取得する。そして、制御部５３は、取得した情報をルータ４０の制御部４３に送信してもよい。
【００９３】
電源回路５４は、各機能部に対して電源を供給する回路である。電源回路５４は、後述する車内電源５５から給電され、適切な電圧変換をし、Ｂｌｕｅｔｏｏｔｈ通信部５１、操作部５２、制御部５３に電源を供給する。また、電源回路５４は、後述するＵＳＢ接続ポート５６に接続されたＵＳＢケーブルを介して、ルータ４０に電源を供給する。
【００９４】
車内電源５５は、自動車の電源である。車内電源５５は、電源回路５４に給電する。
ＵＳＢ接続ポート５６は、ＵＳＢケーブルを挿抜可能な接続ポートである。ＵＳＢ接続ポート５６は、当該ポートに接続されたＵＳＢケーブルを介して、ルータ４０と車載装置５０との間のデータの送受信を行うと共に、ルータ４０に対して電源を供給する。
【００９５】
接続ポート５７は、自動車内にある機器と接続されるポートである。
メモリ５８は、車載装置５０が動作するために必要な設定等を記憶する。上記したように、車載装置５０のＢｌｕｅｔｏｏｔｈ通信部５１の送信出力は、自動車のサイズにより適宜設定する必要があり、事前に調整されている。メモリ５８は、事前に調整したＢｌｕｅｔｏｏｔｈ通信部５１の送信出力を記憶する。
【００９６】
＜通信システムの動作例＞
次に、図８〜図１０を用いて、実施の形態３にかかる通信システム１００の動作例について説明する。図８〜図１０は、実施の形態３にかかる通信システムの動作例を示す図である。
【００９７】
図８を用いて、通信システム１００の全体動作について説明する。前提として、ルータ４０及び車載装置５０の電源が入っており、通信を制御する対象の通信端末である通信端末６０が自動車内に存在しているとする。この状態において、通信システム１００は、制御対象の通信端末の登録処理（ステップＳ１）及び通信制御処理（ステップＳ２）を実行する。
【００９８】
具体的には、制御対象の通信端末の登録処理として、ルータ４０において取得されたＭＡＣアドレスのいずれかと、車載装置５０において取得されたＭＡＣアドレスとを対応付けて登録する（ステップＳ１）。なお、通信システム１００の動作例の説明では、制御対象の通信端末の登録処理としてＭＡＣアドレスを用いることとするが、ＭＡＣアドレスに代えて、機器名を用いてもよい。
【００９９】
通信端末６０の２つのＭＡＣアドレスが登録された場合、車載装置５０のＢｌｕｅｔｏｏｔｈ通信部５１に通信端末６０が接続されているか否かに基づいて、ルータ４０は、通信端末６０を無線ＬＡＮ通信部４１に接続させるか否かを制御する（ステップＳ２）。つまり、制御部４３は、対応付けて登録された２つのＭＡＣアドレスを有する通信端末６０がＢｌｕｅｔｏｏｔｈ通信部５１に接続しているか否かに基づいて、通信端末６０を無線ＬＡＮ通信部４１に接続させるか否かを制御する。
【０１００】
続いて、図９を用いて、図８のステップＳ１の制御対象の通信端末の登録処理の詳細について説明する。
まず、ユーザが車載装置５０の操作部５２におけるディスプレイ上のＧＵＩから子機管理アプリケーションを起動し、子機の登録ボタンを押下する（ステップＳ１１）。
【０１０１】
次に、子機管理アプリケーションは、Ｂｌｕｅｔｏｏｔｈ未登録であるか否かを判定する（ステップＳ１２）。具体的には、子機管理アプリケーションは、Ｂｌｕｅｔｏｏｔｈ通信部５１と既にペアリングを行っている通信端末が存在するか否かを判定する。
【０１０２】
Ｂｌｕｅｔｏｏｔｈ通信部５１と既にペアリングを行っている通信端末が存在しない場合（ステップＳ１２のＹＥＳ）、ステップＳ１３の動作を実行する。ステップＳ１３において、Ｂｌｕｅｔｏｏｔｈ通信部５１は、制御対象の通信端末である通信端末６０とペアリングを行い、通信端末６０のＢｌｕｅｔｏｏｔｈ通信を行う通信部のＭＡＣアドレスを取得する（ステップＳ１３）。
【０１０３】
一方、Ｂｌｕｅｔｏｏｔｈ通信部５１が、通信端末６０と既にペアリングを行っている場合（ステップＳ１２のＮＯ）、ステップＳ１４の動作を行う。
【０１０４】
次に、ルータ４０の無線ＬＡＮ通信部４１が再起動し、接続された通信端末の無線ＬＡＮ通信を行う通信部のＭＡＣアドレスを取得する（ステップＳ１４）。具体的には、車載装置５０の制御部５３は、ルータ４０の制御部４３に対して、無線ＬＡＮ通信部４１の再起動、及び無線ＬＡＮ通信部４１に接続された通信端末のＭＡＣアドレスの取得を指示する。制御部４３は、上記指示を受信すると、無線ＬＡＮ通信部４１の再起動を行う。
【０１０５】
無線ＬＡＮ通信部４１は、通信エリア内の全ての通信端末が接続可能な解放状態で起動し、接続された通信端末の無線ＬＡＮ通信を行う通信部のＭＡＣアドレス及び機器名を取得する。無線ＬＡＮ通信部４１は、取得したＭＡＣアドレス及び機器名を制御部４３に送信し、制御部４３は、ＵＳＢ接続ポート４５に接続されたＵＳＢケーブルを介して、取得されたＭＡＣアドレス及び機器名を制御部５３に送信する。制御部５３は、受信したＭＡＣアドレス及び機器名を子機管理アプリケーションのＧＵＩに表示する。
【０１０６】
次に、ＧＵＩに表示された子機リスト（通信端末のリスト）において、ユーザに選択された通信端末を、通信制御を行う対象の通信端末として登録する（ステップＳ１５）。具体的には、ＧＵＩに表示された子機リストにおいて、ユーザが選択した無線ＬＡＮ／ＢｌｕｅｔｏｏｔｈのＭＡＣアドレスを選択すると、操作部５２は、選択されたＭＡＣアドレスを対応付けて制御部５３に送信する。制御部５３は、選択されたＭＡＣアドレスを対応付けて登録する。ユーザが通信端末６０のＭＡＣアドレスを選択した場合、制御部５３は、通信端末６０の無線ＬＡＮ通信を行う通信部のＭＡＣアドレスと、Ｂｌｕｅｔｏｏｔｈ通信を行う通信部のＭＡＣアドレスとを対応付けて登録する。
【０１０７】
次に、ルータ４０の無線ＬＡＮ通信部４１は、パスワード等の認証情報を、登録されたＭＡＣアドレスを有する通信端末６０に送信して、無線ＬＡＮ通信部４１に接続している全ての通信端末の接続を切断して、解放状態を終了する（ステップＳ１６）。
【０１０８】
続いて、図１０を用いて、図８のステップＳ２の通信制御処理の詳細について説明する。なお、図１０の通信制御処理は、制御対象の通信端末が、無線ＬＡＮ通信部４１及びＢｌｕｅｔｏｏｔｈ通信部５１に帰属（接続）する毎に実行される。
【０１０９】
図９の制御対象の通信端末６０が登録され、通信端末６０がルータ４０の無線ＬＡＮ通信部４１及び車載装置５０のＢｌｕｅｔｏｏｔｈ通信部５１に帰属（接続）する（ステップＳ２１）。
【０１１０】
次に、Ｂｌｕｅｔｏｏｔｈ通信部５１が通信端末６０とＬＥ通信が可能であるか否かを判定する（ステップＳ２２）。通信端末６０が無線ＬＡＮ通信部４１に接続されると、制御部４３がＵＳＢ接続ポート４５に接続されたＵＳＢケーブルを介して、制御部５３に対して、ＬＥ通信が可能であるか否かの確認要求を行う。
【０１１１】
制御部５３は、確認要求を受信すると、Ｂｌｕｅｔｏｏｔｈ通信部５１に通信端末６０とＬＥ通信が可能であるかの確認を行う。Ｂｌｕｅｔｏｏｔｈ通信部５１は、ＬＥ通信により通信端末６０と接続されているか否かの情報を制御部５３に送信する。制御部５３は、Ｂｌｕｅｔｏｏｔｈ通信部５１から受信した、通信端末６０がＢｌｕｅｔｏｏｔｈ通信部５１と接続しているか否かの情報を制御部４３に送信する。制御部４３は、制御部５３から受信した情報に基づいて、ＬＥ通信可能であるか否かを判定する。
【０１１２】
Ｂｌｕｅｔｏｏｔｈ通信部５１が通信端末６０とＬＥ通信が可能である場合（ステップＳ２２のＹＥＳ）、制御部４３は、無線ＬＡＮ通信を通じてＷＡＮ通信を登録された通信端末６０に提供する（ステップＳ２３）。
【０１１３】
一方、Ｂｌｕｅｔｏｏｔｈ通信部５１が通信端末６０とＬＥ通信が可能ではない場合（ステップＳ２２のＮＯ）、制御部４３は、通信端末６０と無線ＬＡＮ通信部４１との通信を切断し（ステップＳ２８）、処理を終了する。つまり、制御部４３は、通信端末６０を無線ＬＡＮ通信部４１と通信させないように制御する。
【０１１４】
ステップＳ２４において、制御部４３は、一定時間経過後に再度、通信端末６０がＬＥ通信を可能とするか否かを判定するために、経過時間ｔ［ｓ］の記録を開始する（ステップＳ２４）。つまり、制御部４３は、経過時間ｔを０（ゼロ）に初期化する。
【０１１５】
制御部４３は、経過時間を監視し（ステップＳ２５）、一定時間経過したか否かを判定する（ステップＳ２６）。経過時間ｔが一定時間Ｔ’を超過していない場合（ステップＳ２６のＮＯ）、制御部４３は、ステップＳ２５に戻り、経過時間を継続して監視する。
【０１１６】
経過時間ｔが一定時間Ｔ’を超過した場合（ステップＳ２６のＹＥＳ）、Ｂｌｕｅｔｏｏｔｈ通信部５１が通信端末６０とＬＥ通信が可能であるか否かを判定する（ステップＳ２７）。なお、ステップＳ２７において実行される動作は、ステップＳ２２と同様であるため説明を割愛する。
【０１１７】
ステップＳ２７において、Ｂｌｕｅｔｏｏｔｈ通信部５１が通信端末６０とＬＥ通信が可能である場合（ステップＳ２７のＹＥＳ）、ステップＳ２４に戻り、制御部４３は、経過時間ｔ［ｓ］を初期化し、記録を開始する。この場合、制御部４３は、無線ＬＡＮ通信を通じてＷＡＮ通信を登録された通信端末６０に継続して提供する。
【０１１８】
一方、ステップＳ２７において、Ｂｌｕｅｔｏｏｔｈ通信部５１が通信端末６０とＬＥ通信が可能ではない場合（ステップＳ２７のＮＯ）、制御部４３は、通信端末６０と無線ＬＡＮ通信部４１との通信を切断し（ステップＳ２８）、処理を終了する。つまり、制御部４３は、通信端末６０を無線ＬＡＮ通信部４１と通信させないように制御する。
【０１１９】
以上説明したように、ルータ４０の無線ＬＡＮ通信部４１は、通信エリア内の全ての通信端末が接続可能な状態で起動し、接続された通信端末の無線ＬＡＮ通信を行う通信部のＭＡＣアドレスを取得する。車載装置５０において、Ｂｌｕｅｔｏｏｔｈ通信部５１は、接続が許可された通信端末のＢｌｕｅｔｏｏｔｈ通信を行う通信部のＭＡＣアドレスを取得する。操作部５２及び制御部５３は、制御対象の通信端末の２つのＭＡＣアドレスが対応付けて登録される。
【０１２０】
ルータ４０は、対応付けて登録されたＭＡＣアドレスを有する通信端末６０がＢｌｕｅｔｏｏｔｈ通信部５１に接続されているか否かに基づいて、通信端末６０を無線ＬＡＮ通信部４１と通信させるか否かの制御を行う。
【０１２１】
Ｂｌｕｅｔｏｏｔｈ通信部５１の通信エリアは、無線ＬＡＮ通信部４１の通信エリアよりも狭い通信エリアであって、自動車内の領域に調整されている。ルータ４０は、通信端末６０がＢｌｕｅｔｏｏｔｈ通信部５１の通信エリア内であれば、通信端末６０を無線ＬＡＮ通信部４１と通信させる。一方、ルータ４０は、通信端末６０がＢｌｕｅｔｏｏｔｈ通信部５１の通信エリア外であれば、通信端末６０を無線ＬＡＮ通信部４１と通信させないように制御する。すなわち、ルータ４０は、無線ＬＡＮ通信部４１の通信可能範囲を、Ｂｌｕｅｔｏｏｔｈ通信部５１の通信エリアに制限する。無線ＬＡＮ通信部４１は、送信出力が制限されていないため、無線ＬＡＮ通信部４１の通信エリア内であれば、通信端末６０の通信速度は低下しない。したがって、本実施の形態にかかるルータ４０によれば、通信端末６０の通信速度を低下させることなく、無線ＬＡＮ通信部４１の通信可能範囲を制限することが可能となる。
【０１２２】
さらに、本実施の形態にかかる通信システム１００によれば、通信端末（子機）のＭＡＣアドレスを対応付けて登録する初期登録を行った後は、通信端末（子機）の通信制御を定期的にかつ自動で制御を行うことが可能となる。
【０１２３】
（変形例）
上述した実施の形態３では、子機管理アプリケーションは、車載装置５０が有する構成として説明したが、ルータ４０が有する構成であってもよい。この場合、制御部４３は、車載装置５０から、車載装置５０において取得されたＭＡＣアドレス及び機器名を受信する。そして、制御部４３は、子機管理アプリケーションを用いて、無線ＬＡＮ通信部４１で取得されたＭＡＣアドレスのいずれかと、車載装置５０から受信したＭＡＣアドレスとを対応付けて登録するように構成される。そして、制御部４３は、車載装置５０から受信したＭＡＣアドレスに対応付けて登録されたＭＡＣアドレスを取得すればよい。このような構成にしても、上述した実施の形態３と同様の効果を得ることが可能となる。
【０１２４】
（実施の形態４）
続いて、実施の形態４について説明する。実施の形態４は、実施の形態２を詳細にした実施の形態である。また、実施の形態４は、実施の形態３におけるルータ４０及び車載装置５０がルータ７０に置き換わった構成である。そのため、本実施の形態において、実施の形態３と共通する説明については、実施の形態３において用いた図面を用いて説明する。
【０１２５】
＜ルータの構成例＞
次に、図１１を用いて、実施の形態４にかかるルータ７０について説明する。図１１は、実施の形態４にかかるルータの構成例を示す図である。
【０１２６】
ルータ７０は、図３の実線２００の内側に配置される通信装置である。つまり、ルータ７０は、自動車内に配置される通信装置である。なお、本実施の形態においても所定の領域は自動車の内部の領域として説明するが、これに限定されるものではなく、ルータ７０は、予め定められた、建物の屋内の領域又は移動体の内部の領域に配置されてもよい。
【０１２７】
また、実施の形態４にかかるルータ７０は、実施の形態３にかかるルータ４０と基本的には同様の構成をしている。そのため、本実施の形態では、実施の形態３にかかるルータ４０と同様の構成については、同一の符号を付して、適宜説明を割愛する。
【０１２８】
ルータ７０は、無線ＬＡＮ通信部４１と、ＷＡＮ通信部４２と、Ｂｌｕｅｔｏｏｔｈ通信部７１と、操作部７２と、制御部７３と、電源回路７４と、電源７５と、メモリ７６と、を備える。
【０１２９】
無線ＬＡＮ通信部４１及びＷＡＮ通信部４２は、実施の形態３と同様であるので、説明を割愛する。
【０１３０】
Ｂｌｕｅｔｏｏｔｈ通信部７１は、実施の形態３にかかるＢｌｕｅｔｏｏｔｈ通信部５１に対応する。Ｂｌｕｅｔｏｏｔｈ通信部７１は、実施の形態３にかかるＢｌｕｅｔｏｏｔｈ通信部５１と同様の構成であるため、適宜説明を割愛する。
【０１３１】
Ｂｌｕｅｔｏｏｔｈ通信部７１は、通信端末６０のＢｌｕｅｔｏｏｔｈ通信を行う通信部のＭＡＣアドレス及び機器名を取得して、制御部７３に送信する。また、Ｂｌｕｅｔｏｏｔｈ通信部５１は、通信端末６０とＬＥ通信を行っているか否かの情報を制御部７３に送信する。
【０１３２】
操作部７２は、実施の形態３にかかる操作部５２に対応する。操作部７２は、実施の形態３にかかる操作部５２と同様の構成であるので、適宜説明を割愛する。
【０１３３】
操作部７２は、無線ＬＡＮ通信部４１において取得された通信端末のＭＡＣアドレスと、Ｂｌｕｅｔｏｏｔｈ通信部７１において取得されたＭＡＣアドレスとを子機管理アプリケーションのＧＵＩで表示する。ユーザが、無線ＬＡＮ通信部４１において取得されたＭＡＣアドレスのいずれかを選択した場合、操作部７２は、選択されたＭＡＣアドレスと、Ｂｌｕｅｔｏｏｔｈ通信部７１において取得されたＭＡＣアドレスと、を対応付けて制御部７３に送信する。
【０１３４】
制御部７３は、実施の形態３にかかる制御部４３及び５３の構成を有する制御部である。制御部７３は、操作部７２から受信した情報に基づいて、選択されたＭＡＣアドレスと、Ｂｌｕｅｔｏｏｔｈ通信部７１において取得されたＭＡＣアドレスと、を対応付けて登録する。制御部７３は、通信端末のＢｌｕｅｔｏｏｔｈ通信を行う通信部のＭＡＣアドレスと対応付けて登録されたＭＡＣアドレスを、当該通信端末の無線ＬＡＮ通信を行う通信部のＭＡＣアドレスとして取得する。
【０１３５】
通信端末６０の２つのＭＡＣアドレスが対応付けて登録された場合、制御部７３は、通信端末６０がＢｌｕｅｔｏｏｔｈ通信部７１と接続しているか否かに基づいて、通信端末６０を無線ＬＡＮ通信部４１と通信させるか否かを制御する。
【０１３６】
具体的には、制御部７３は、通信端末６０がＢｌｕｅｔｏｏｔｈ通信部７１と接続している場合、通信端末６０を無線ＬＡＮ通信部４１と通信させる。一方、制御部７３は、通信端末６０がＢｌｕｅｔｏｏｔｈ通信部７１と接続していない場合、通信端末６０を無線ＬＡＮ通信部４１と通信させない。
【０１３７】
電源回路７４は、各機能部に対して電源を供給する回路である。電源回路７４は、後述する電源７５から給電され、適切な電圧変換をし、無線ＬＡＮ通信部４１、ＷＡＮ通信部４２、Ｂｌｕｅｔｏｏｔｈ通信部７１、操作部７２、制御部７３に電源を供給する。なお、ルータ７０が電源７５を有さずに、実施の形態３と同様に車載装置から電源が供給される構成であってもよい。
【０１３８】
電源７５は、例えば、バッテリであり、電源回路７４に給電する。
メモリ７６は、ルータ７０が動作するために必要な設定等を記憶する。メモリ７６は、事前に調整されたＢｌｕｅｔｏｏｔｈ通信部７１の送信出力を記憶する。
【０１３９】
＜ルータの動作例＞
次に、ルータ７０の動作例について説明する。本実施の形態にかかるルータ７０は、図８〜図１０を用いて説明した動作を実行する。そのため、ルータ７０の動作例を、図８〜図１０を用いて適宜説明を割愛しながら説明する。
【０１４０】
まず、図８を用いて、ルータ７０の全体動作について説明する。ルータ７０は、無線ＬＡＮ通信部４１において取得されたＭＡＣアドレスのいずれかと、Ｂｌｕｅｔｏｏｔｈ通信部７１において取得されたＭＡＣアドレスとを対応付けて登録する（ステップＳ１）。
【０１４１】
次に、通信端末６０の２つのＭＡＣアドレスが登録された場合、Ｂｌｕｅｔｏｏｔｈ通信部７１に通信端末６０が接続されているか否かに基づいて、制御部７３は、通信端末６０を無線ＬＡＮ通信部４１に接続させるか否かを制御する（ステップＳ２）。
【０１４２】
続いて、図９を用いて、図８のステップＳ１の制御対象の通信端末の登録処理の詳細について説明する。
まず、ユーザが操作部７２におけるディスプレイ上のＧＵＩから子機管理アプリケーションを起動し、子機の登録ボタンを押下する（ステップＳ１１）。
【０１４３】
次に、子機管理アプリケーションは、Ｂｌｕｅｔｏｏｔｈ未登録であるか否かを判定する（ステップＳ１２）。
Ｂｌｕｅｔｏｏｔｈ通信部７１と既にペアリングを行っている通信端末が存在しない場合（ステップＳ１２のＹＥＳ）、Ｂｌｕｅｔｏｏｔｈ通信部７１は、制御対象の通信端末である通信端末６０とペアリングを行う。Ｂｌｕｅｔｏｏｔｈ通信部７１は、通信端末６０のＢｌｕｅｔｏｏｔｈ通信を行う通信部のＭＡＣアドレスを取得する（ステップＳ１３）。一方、Ｂｌｕｅｔｏｏｔｈ通信部７１が、通信端末６０と既にペアリングを行っている場合（ステップＳ１２のＮＯ）、ステップＳ１４の動作を行う。
【０１４４】
次に、制御部７３からの要求に応じて、無線ＬＡＮ通信部４１が再起動し、接続された通信端末の無線ＬＡＮ通信を行う通信部のＭＡＣアドレスを取得する（ステップＳ１４）。
【０１４５】
次に、ＧＵＩに表示された子機リスト（通信端末のリスト）において、ユーザに選択された通信端末を、通信制御を行う対象の通信端末として登録する（ステップＳ１５）。ユーザが通信端末６０のＭＡＣアドレスを選択した場合、制御部７３は、通信端末６０の無線ＬＡＮ通信を行う通信部のＭＡＣアドレスと、Ｂｌｕｅｔｏｏｔｈ通信を行う通信部のＭＡＣアドレスとを対応付けて登録する。
【０１４６】
次に、無線ＬＡＮ通信部４１は、パスワード等の認証情報を、登録されたＭＡＣアドレスを有する通信端末６０に送信して、無線ＬＡＮ通信部４１に接続している全ての通信端末の接続を切断して、解放状態を終了する（ステップＳ１６）。
【０１４７】
続いて、図１０を用いて、図８のステップＳ２の通信制御処理の詳細について説明する。
制御対象の通信端末６０が登録され、通信端末６０が無線ＬＡＮ通信部４１及びＢｌｕｅｔｏｏｔｈ通信部７１に帰属（接続）する（ステップＳ２１）。
【０１４８】
次に、制御部７３は、Ｂｌｕｅｔｏｏｔｈ通信部７１が通信端末６０とＬＥ通信が可能であるか否かを判定する（ステップＳ２２）。
【０１４９】
Ｂｌｕｅｔｏｏｔｈ通信部７１が通信端末６０とＬＥ通信が可能である場合（ステップＳ２２のＹＥＳ）、制御部７３は、無線ＬＡＮ通信を通じてＷＡＮ通信を登録された通信端末６０に提供する（ステップＳ２３）。
【０１５０】
一方、Ｂｌｕｅｔｏｏｔｈ通信部７１が通信端末６０とＬＥ通信が可能ではない場合（ステップＳ２２のＮＯ）、制御部７３は、通信端末６０と無線ＬＡＮ通信部４１との通信を切断し（ステップＳ２８）、処理を終了する。
【０１５１】
ステップＳ２４において、制御部７３は、一定時間経過後に再度、通信端末６０がＬＥ通信を可能とするか否かを判定するために、経過時間ｔ［ｓ］の記録を開始する（ステップＳ２４）。
【０１５２】
制御部７３は、経過時間を監視し（ステップＳ２５）、経過時間ｔが一定時間Ｔ’を超過していない場合（ステップＳ２６のＮＯ）、制御部７３は、ステップＳ２５に戻り、経過時間を継続して監視する。経過時間ｔが一定時間Ｔ’を超過した場合（ステップＳ２６のＹＥＳ）、制御部７３は、Ｂｌｕｅｔｏｏｔｈ通信部７１が通信端末６０とＬＥ通信が可能であるか否かを判定する（ステップＳ２７）。
【０１５３】
ステップＳ２７において、Ｂｌｕｅｔｏｏｔｈ通信部７１が通信端末６０とＬＥ通信が可能である場合（ステップＳ２７のＹＥＳ）、ステップＳ２４に戻り、制御部７３は、経過時間ｔ［ｓ］を初期化し、記録を開始する。この場合、制御部７３は、無線ＬＡＮ通信を通じてＷＡＮ通信を登録された通信端末６０に継続して提供する。
【０１５４】
一方、ステップＳ２７において、Ｂｌｕｅｔｏｏｔｈ通信部７１が通信端末６０とＬＥ通信が可能ではない場合（ステップＳ２７のＮＯ）、制御部７３は、通信端末６０と無線ＬＡＮ通信部４１との通信を切断し（ステップＳ２８）、処理を終了する。
【０１５５】
以上説明したように、Ｂｌｕｅｔｏｏｔｈ通信部７１の通信エリアは、無線ＬＡＮ通信部４１の通信エリアよりも狭い通信エリアであって、自動車内の領域を通信エリアに調整されている。ルータ７０は、通信端末６０がＢｌｕｅｔｏｏｔｈ通信部７１の通信エリア内であれば、通信端末６０を無線ＬＡＮ通信部４１と通信させる。すなわち、ルータ７０も、実施の形態３と同様に、無線ＬＡＮ通信部４１の通信可能範囲を、Ｂｌｕｅｔｏｏｔｈ通信部７１の通信エリアに制限する。無線ＬＡＮ通信部４１は、送信出力が制限されていないため、無線ＬＡＮ通信部４１の通信エリア内であれば、通信端末６０の通信速度は低下しない。したがって、本実施の形態にかかるルータ７０によれば、通信端末６０の通信速度を低下させることなく、無線ＬＡＮ通信部４１の通信可能範囲を制限することが可能となる。
【０１５６】
また、本実施の形態にかかるルータ７０を用いることにより、実施の形態３と同様に、通信端末（子機）のＭＡＣアドレスを対応付けて登録する初期登録を行った後は、通信端末（子機）の通信制御を定期的にかつ自動で制御を行うことが可能となる。
【０１５７】
（他の実施の形態）
＜１＞上述した実施の形態では、無線ＬＡＮ通信部及びＢｌｕｅｔｏｏｔｈ通信部において、それぞれ、通信制御対象の通信端末の無線ＬＡＮ通信を行う通信部及びＢｌｕｅｔｏｏｔｈ通信を行う通信部のＭＡＣアドレスを取得することで説明した。上述した実施の形態において、通信端末が上記２つのＭＡＣアドレスを1度に送信するように変形してもよい。このようにすれば、無線ＬＡＮ通信部又はＢｌｕｅｔｏｏｔｈ通信部が上記２つのＭＡＣアドレスを取得することが可能となる。そうすると、制御部（子機管理アプリケーション）は、通信制御対象の通信端末のＭＡＣアドレスの登録処理を自動で実行することが可能となる。
【０１５８】
＜２＞上述した実施の形態において、通信制御対象の通信端末に、他の通信端末を対応付けて登録するようにしてもよい。この場合、ルータは、通信制御対象の通信端末が所定の領域に存在するか否かを判定し、無線ＬＡＮ通信を行わせるか否かを制御する。そして、ルータは、通信制御対象の通信端末がＢｌｕｅｔｏｏｔｈ通信部に接続している場合、上記他の通信端末もＢｌｕｅｔｏｏｔｈ通信部に接続が可能であると推定して、当該通信端末に対しても無線ＬＡＮ通信を行わせるように制御することが可能となる。このようにすれば、ルータは、通信制御対象の通信端末の台数を減らすことが可能となるため、処理能力を向上させることが可能となる。
【０１５９】
＜３＞上述した実施の形態において説明した通信装置１０、２０、３０、ルータ４０、７０及び車載装置５０（以下、通信装置１０等と称する）は、次のようなハードウェア構成を有していてもよい。図１２は、本開示の各実施の形態にかかる通信装置等を実現可能な、コンピュータ（情報処理装置）のハードウェア構成を例示するブロック図である。
【０１６０】
図１２を参照すると、通信装置１０等は、複数のアンテナ１２０１−１〜１２０１−Ｎ、ネットワーク・インターフェース１２０２、プロセッサ１２０３及びメモリ１２０４を含む。複数のアンテナ１２０１−１〜１２０１−Ｎ及びネットワーク・インターフェース１２０２は、通信端末６０を含む他の無線通信装置と通信するために使用される。ネットワーク・インターフェース１２０２は、例えば、IEEE（Institute of Electrical and Electronics Engineers） 802.11 series、IEEE 802.3 series等に準拠したネットワークインターフェースカード（NIC）を含んでもよい。
【０１６１】
プロセッサ１２０３は、メモリ１２０４からソフトウェア（コンピュータプログラム）を読み出して実行することで、上述の実施形態においてフローチャートを用いて説明された通信装置１０等の処理を行う。プロセッサ１２０３は、例えば、マイクロプロセッサ、MPU（Micro Processing Unit）、又はCPU（Central Processing Unit）であってもよい。プロセッサ１２０３は、複数のプロセッサを含んでもよい。
【０１６２】
メモリ１２０４は、揮発性メモリ及び不揮発性メモリの組み合わせによって構成される。メモリ１２０４は、プロセッサ１２０３から離れて配置されたストレージを含んでもよい。この場合、プロセッサ１２０３は、図示されていないI/Oインターフェースを介してメモリ１２０４にアクセスしてもよい。
【０１６３】
図１２の例では、メモリ１２０４は、ソフトウェアモジュール群を格納するために使用される。プロセッサ１２０３は、これらのソフトウェアモジュール群をメモリ１２０４から読み出して実行することで、上述の実施形態において説明された通信装置１０等の処理を行うことができる。
【０１６４】
図１２を用いて説明したように、通信装置１０等が有するプロセッサの各々は、図面を用いて説明されたアルゴリズムをコンピュータに行わせるための命令群を含む１または複数のプログラムを実行する。
【０１６５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１６６】
なお、本開示は上記実施の形態に限られたものではなく、趣旨を逸脱しない範囲で適宜変更することが可能である。また、本開示は、それぞれの実施の形態を適宜組み合わせて実施されてもよい。
【０１６７】
また、上記の実施形態の一部又は全部は、以下の付記のようにも記載されうるが、以下には限られない。
（付記１）
第１の通信エリアを形成し、前記第１の通信エリア内の全ての通信端末が接続可能な状態で、接続された通信端末の第１の識別情報を取得する第１の通信部と、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得する制御部と、を備え、
前記第１の通信部は、前記第３の識別情報が取得された場合、前記第３の識別情報を有する通信端末のみが接続可能な状態に遷移し、
前記制御部は、前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御する、通信装置。
（付記２）
前記制御部は、前記取得された第１の識別情報を前記他の通信装置に送信すると共に、前記第２の識別情報に対応付けて登録された識別情報を前記他の通信装置から受信し、前記受信された識別情報を前記第３の識別情報として取得する、付記１に記載の通信装置。
（付記３）
前記制御部は、前記第２の識別情報を前記他の通信装置から受信し、前記取得された第１の識別情報のうちのいずれかと、前記第２の識別情報とを対応付けて登録するように構成され、前記第２の識別情報に対応付けて登録された識別情報を前記第３の識別情報として取得する、付記１に記載の通信装置。
（付記４）
第１の通信エリアを形成し、前記第１の通信エリア内の全ての通信端末が接続可能な状態で、接続された通信端末の第１の識別情報を取得する第１の通信部と、
前記第１の通信エリアに含まれる第２の通信エリアを形成し、接続が許可された通信端末の第２の識別情報を取得する第２の通信部と、
前記取得された第１の識別情報のいずれかと前記第２の識別情報とを対応付けて登録する制御部と、を備え、
前記第１の通信部は、前記第２の識別情報と対応付けて登録された識別情報を示す第３の識別情報を有する通信端末のみが接続可能な状態に遷移し、
前記制御部は、前記第２の識別情報を有する通信端末が前記第２の通信部に接続されているか否かに基づいて、前記第３の識別情報を有する通信端末を前記第１の通信部と通信させるか否かを制御する、通信装置。
（付記５）
前記制御部は、前記第２の識別情報を有する通信端末が前記第２の通信部に接続されている場合、前記第３の識別情報を有する通信端末を前記第１の通信部と通信させる、付記１〜４のいずれか１項に記載の通信装置。
（付記６）
前記第１の通信部は、前記第３の識別情報を有する通信端末に認証情報を送信し、前記第２の識別情報を有する通信端末が前記第２の通信部に接続されている場合、前記認証情報を用いて前記第３の識別情報を有する通信端末と接続する、付記５に記載の通信装置。
（付記７）
前記第２の通信エリアは、所定の領域内に形成された通信エリアである、付記１〜６のいずれか１項に記載の通信装置。
（付記８）
前記所定の領域は、予め定められた、建物の屋内又は移動体の内部の領域である、付記７に記載の通信装置。
（付記９）
前記移動体は、自動車及び列車のいずれか一方を含む車両である、付記８に記載の通信装置。
（付記１０）
前記第１の通信部は、無線ＬＡＮ通信を行う通信部であり、前記第１の識別情報は、通信端末の無線ＬＡＮ通信を行う通信部に設定された識別情報であり、
前記第２の通信部は、ＢＬＥ（Bluetooth Low Energy）通信を行う通信部であり、前記第２の識別情報は、通信端末のＢｌｕｅｔｏｏｔｈ通信を行う通信部に設定された識別情報である、付記１〜９のいずれか１項に記載の通信装置。
（付記１１）
前記第１の識別情報及び前記第２の識別情報は、ＭＡＣ（Media Access Control）アドレス及び機器名の少なくとも１つを含む、付記１〜１０のいずれか1項に記載の通信装置。
（付記１２）
第１の通信エリアを形成し、前記第１の通信エリア内の全ての通信端末が接続可能な状態で動作する第１の通信部に接続された通信端末の第１の識別情報を取得することと、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得することと、
前記第３の識別情報が取得された場合、前記第１の通信部を、前記第３の識別情報を有する通信端末のみが接続可能な状態に遷移させることと、
前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御することと、を含む通信制御方法。
（付記１３）
第１の通信エリアを形成し、前記第１の通信エリア内の全ての通信端末が接続可能な状態で動作する第１の通信部に接続された通信端末の第１の識別情報を取得することと、
前記第１の通信エリアに含まれる第２の通信エリアを形成する第２の通信部に接続が許可された通信端末の第２の識別情報を取得することと、
前記取得された第１の識別情報のいずれかと前記第２の識別情報とを対応付けて登録することと、
前記第１の通信部を、前記第２の識別情報と対応付けて登録された識別情報を示す第３の識別情報を有する通信端末のみが接続可能な状態に遷移させることと、
前記第２の識別情報を有する通信端末が前記第２の通信部に接続されているか否かに基づいて、前記第３の識別情報を有する通信端末を前記第１の通信部と通信させるか否かを制御することと、を含む通信制御方法。
（付記１４）
第１の通信エリアを形成し、前記第１の通信エリア内の全ての通信端末が接続可能な状態で動作する第１の通信部に接続された通信端末の第１の識別情報を取得することと、
前記取得された第１の識別情報のうち、他の通信装置が有し、前記第１の通信エリアに含まれる第２の通信エリアを形成する第２の通信部に接続が許可された通信端末の第２の識別情報に対応付けられた第３の識別情報を取得することと、
前記第３の識別情報が取得された場合、前記第１の通信部を、前記第３の識別情報を有する通信端末のみが接続可能な状態に遷移させることと、
前記第２の識別情報を有する通信端末が前記第２の通信部と接続しているか否かの情報を前記他の通信装置から受信し、前記受信された情報に基づいて、前記第３の識別情報を有する通信端末を前記第１の通信部と通信させるか否かを制御することと、をコンピュータに実行させる通信制御プログラム。
（付記１５）
第１の通信エリアを形成し、前記第１の通信エリア内の全ての通信端末が接続可能な状態で動作する第１の通信部に接続された通信端末の第１の識別情報を取得することと、
前記第１の通信エリアに含まれる第２の通信エリアを形成する第２の通信部に接続が許可された通信端末の第２の識別情報を取得することと、
前記取得された第１の識別情報のいずれかと前記第２の識別情報とを対応付けて登録することと、
前記第１の通信部を、前記第２の識別情報と対応付けて登録された識別情報を示す第３の識別情報を有する通信端末のみが接続可能な状態に遷移させることと、
前記第２の識別情報を有する通信端末が前記第２の通信部に接続されているか否かに基づいて、前記第３の識別情報を有する通信端末を前記第１の通信部と通信させるか否かを制御することと、をコンピュータに実行させる通信制御プログラム。
（付記１６）
第１の通信装置と、前記第１の通信装置に接続された第２の通信装置とを含み、
前記第１の通信装置は、
第１の通信エリアを形成し、前記第１の通信エリア内の全ての通信端末が接続可能な状態で、接続された通信端末の第１の識別情報を取得する第１の通信部と、
前記取得された第１の識別情報のうち、前記第２の通信装置が有し、前記第１の通信エリアに含まれる第２の通信エリアを形成する第２の通信部に接続が許可された通信端末の第２の識別情報に対応付けられた第３の識別情報を取得する制御部と、を備え、
前記第１の通信部は、前記第３の識別情報が取得された場合、前記第３の識別情報を有する通信端末のみが接続可能な状態に遷移し、
前記制御部は、前記第２の識別情報を有する通信端末が前記第２の通信部と接続しているか否かの情報を前記第２の通信装置から受信し、前記受信された情報に基づいて、前記第３の識別情報を有する通信端末を前記第１の通信部と通信させるか否かを制御する、通信システム。
（付記１７）
前記制御部は、前記取得された第１の識別情報を前記第２の通信装置に送信すると共に、前記第２の通信装置において前記取得された第１の識別情報のうち、前記第２の識別情報と対応付けて登録された識別情報を受信し、前記受信した識別情報を前記第３の識別情報として取得する、付記１６に記載の通信システム。
（付記１８）
前記制御部は、前記第２の識別情報を有する通信端末が前記第２の通信部に接続されている場合、前記第３の識別情報を有する通信端末を前記第１の通信部と通信させる、付記１７に記載の通信システム。
【０１６８】
この出願は、２０１８年１１月２９日に出願された日本出願特願２０１８−２２３３６７を基礎とする優先権を主張し、その開示の全てをここに取り込む。
【符号の説明】
【０１６９】
１  通信システム
１０、２０、３０  通信装置
１１、３１  第１の通信部
１２、３３  制御部
２１、３２  第２の通信部
４０、７０  ルータ
４１  無線ＬＡＮ通信部
４２  ＷＡＮ通信部
４３、５３、７３  制御部
４４、５４、７４  電源回路
４５、５６  ＵＳＢ接続ポート
４６、７６  メモリ
５０  車載装置
５１、７１  Ｂｌｕｅｔｏｏｔｈ通信部
５２、７２  操作部
５５  車内電源
５７  接続ポート
５８  メモリ
７５  電源
【図１】
2020110499.tif 000003
【図２】
2020110499.tif 000004
【図３】
2020110499.tif 000005
【図４】
2020110499.tif 000006
【図５】
2020110499.tif 000007
【図６】
2020110499.tif 000008
【図７】
2020110499.tif 000009
【図８】
2020110499.tif 000010
【図９】
2020110499.tif 000011
【図１０】
2020110499.tif 000012
【図１１】
2020110499.tif 000013
【図１２】
2020110499.tif 000014
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
第１の通信エリアを形成し、前記第１の通信エリア内の全ての通信端末が接続可能な状態で、接続された通信端末の第１の識別情報を取得する第１の通信手段と、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得する制御手段と、を備え、
前記第１の通信手段は、前記第３の識別情報が取得された場合、前記第３の識別情報を有する通信端末のみが接続可能な状態に遷移し、
前記制御手段は、前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御する、通信装置。
【請求項２】
前記制御手段は、前記取得された第１の識別情報を前記他の通信装置に送信すると共に、前記第２の識別情報に対応付けて登録された識別情報を前記他の通信装置から受信し、前記受信された識別情報を前記第３の識別情報として取得する、請求項１に記載の通信装置。
【請求項３】
第１の通信エリアを形成し、前記第１の通信エリア内の全ての通信端末が接続可能な状態で、接続された通信端末の第１の識別情報を取得する第１の通信手段と、
前記第１の通信エリアに含まれる第２の通信エリアを形成し、接続が許可された通信端末の第２の識別情報を取得する第２の通信手段と、
前記取得された第１の識別情報のいずれかと前記第２の識別情報とを対応付けて登録する制御手段と、を備え、
前記第１の通信手段は、前記第２の識別情報と対応付けて登録された識別情報を示す第３の識別情報を有する通信端末のみが接続可能な状態に遷移し、
前記制御手段は、前記第２の識別情報を有する通信端末が前記第２の通信手段に接続されているか否かに基づいて、前記第３の識別情報を有する通信端末を前記第１の通信手段と通信させるか否かを制御する、通信装置。
【請求項４】
前記制御手段は、前記第２の識別情報を有する通信端末が前記第２の通信手段に接続されている場合、前記第３の識別情報を有する通信端末を前記第１の通信手段と通信させる、請求項１〜３のいずれか１項に記載の通信装置。
【請求項５】
前記第１の通信手段は、前記第３の識別情報を有する通信端末に認証情報を送信し、前記第２の識別情報を有する通信端末が前記第２の通信手段に接続されている場合、前記認証情報を用いて前記第３の識別情報を有する通信端末と接続する、請求項４に記載の通信装置。
【請求項６】
前記第２の通信エリアは、所定の領域内に形成された通信エリアである、請求項１〜５のいずれか１項に記載の通信装置。
【請求項７】
前記所定の領域は、予め定められた、建物の屋内又は移動体の内部の領域である、請求項６に記載の通信装置。
【請求項８】
前記移動体は、自動車及び列車のいずれか一方を含む車両である、請求項７に記載の通信装置。
【請求項９】
第１の通信エリアを形成し、前記第１の通信エリア内の全ての通信端末が接続可能な状態で動作する第１の通信手段に接続された通信端末の第１の識別情報を取得することと、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得することと、
前記第３の識別情報が取得された場合、前記第１の通信手段を、前記第３の識別情報を有する通信端末のみが接続可能な状態に遷移させることと、
前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御することと、を含む通信制御方法。
【請求項１０】
第１の通信エリアを形成し、前記第１の通信エリア内の全ての通信端末が接続可能な状態で動作する第１の通信手段に接続された通信端末の第１の識別情報を取得することと、
前記取得された第１の識別情報のうち、他の通信装置が有し、前記第１の通信エリアに含まれる第２の通信エリアを形成する第２の通信手段に接続が許可された通信端末の第２の識別情報に対応付けられた第３の識別情報を取得することと、
前記第３の識別情報が取得された場合、前記第１の通信手段を、前記第３の識別情報を有する通信端末のみが接続可能な状態に遷移させることと、
前記第２の識別情報を有する通信端末が前記第２の通信手段と接続しているか否かの情報を前記他の通信装置から受信し、前記受信された情報に基づいて、前記第３の識別情報を有する通信端末を前記第１の通信手段と通信させるか否かを制御することと、をコンピュータに実行させる通信制御プログラム。
【手続補正３】
【補正対象書類名】明細書
【補正対象項目名】００７２
【補正方法】変更
【補正の内容】
【００７２】
具体的には、制御部４３は、無線ＬＡＮ通信部４１が取得したＭＡＣアドレス及び機器名を、後述するＵＳＢ接続ポート４５に接続されたＵＳＢケーブルを介して車載装置５０に送信する。制御部４３は、送信したＭＡＣアドレスのうちのいずれかが車載装置５０において取得されたＭＡＣアドレスと対応付けて登録された場合、車載装置５０から送信したＭＡＣアドレスのうち、登録されたＭＡＣアドレスを受信する。制御部４３は、受信したＭＡＣアドレスを、車載装置５０において取得されたＭＡＣアドレスと対応付けて登録されたＭＡＣアドレスとして取得する。つまり、制御部４３は、通信制御対象の通信端末の無線ＬＡＮ通信を行う通信部のＭＡＣアドレスを取得する。以降の説明では、車載装置５０において、通信端末６０の無線ＬＡＮ通信を行う通信部のＭＡＣアドレスと、通信端末６０のＢｌｕｅｔｏｏｔｈ通信を行う通信部のＭＡＣアドレスとが対応付けて登録されたとして説明する。この場合、制御部４３は、通信端末６０の無線ＬＡＮ通信を行う通信部のＭＡＣアドレスを車載装置５０から受信する。
【手続補正４】
【補正対象書類名】明細書
【補正対象項目名】００８７
【補正方法】変更
【補正の内容】
【００８７】
また、通信端末６０において、無線ＬＡＮ通信を行う通信部のＭＡＣアドレスと、Ｂｌｕｅｔｏｏｔｈ通信を行う通信部のＭＡＣアドレスとが、連続するアドレスであることも想定される。具体的には、例えば、無線ＬＡＮ通信を行う通信部のＭＡＣアドレスの最後の１オクテットが１０であり、Ｂｌｕｅｔｏｏｔｈ通信を行う通信部のＭＡＣアドレスの最後の１オクテットが１１であるように連続するアドレスであることも想定される。そのため、操作部５２は、表示するＭＡＣアドレスが連続するアドレスである場合、Ｂｌｕｅｔｏｏｔｈ通信部５１において取得されたＭＡＣアドレスと、無線ＬＡＮ通信部４１において取得されたＭＡＣアドレスとを予め対応付けて表示してもよい。
【手続補正５】
【補正対象書類名】明細書
【補正対象項目名】０１３１
【補正方法】変更
【補正の内容】
【０１３１】
Ｂｌｕｅｔｏｏｔｈ通信部７１は、通信端末６０のＢｌｕｅｔｏｏｔｈ通信を行う通信部のＭＡＣアドレス及び機器名を取得して、制御部７３に送信する。また、Ｂｌｕｅｔｏｏｔｈ通信部７１は、通信端末６０とＬＥ通信を行っているか否かの情報を制御部７３に送信する。
【手続補正６】
【補正対象書類名】図面
【補正対象項目名】図９
【補正方法】変更
【補正の内容】
【図９】
2020110499.tif 000015
【国際調査報告】
2020110499.tif 000016
2020110499.tif 000017